(57)【要約】【課題】  映像無信号によりブルースクリーンク表示画面となった場合、予め視聴可能なチャネルの視聴可能かどうかの判断結果をユーザーに知らせることにより、ユーザーの操作性が向上するテレビジョン受像機および製制御方法を提供することを目的とする。【解決手段】  テレビ受像機の映像無信号判定部（２３）において入力された映像信号が映像無信号であると判断した場合にはＯＳＤ処理命令部（２６）等により表示部（６）にブルースクリーン表示を示すとともに音声もスピーカー（１２）より出力しないようにする。その後、記憶部（２５）に保存されている視聴可能なチャンネルの映像無信号判定結果をブルースクリーン表示の上に表示して、ユーザーがリモコン（２８）等によって操作することによって、ユーザーの操作性が向上する。【選択図】  図１
2007274560.tif 000002
【特許請求の範囲】
【請求項１】
映像信号および音声信号を含む放送信号を受信し、特定のチャンネルを選局し、その映像信号を出力する選局処理手段と、
前記映像信号を表示する表示画面を有する表示手段と、
視聴可能なチャンネルを記憶している記憶手段と
前記映像信号の映像無信号を判定する映像無信号判定手段と、
前記映像無信号判定手段が視聴している映像信号が映像無信号であると判定した場合には、前記表示画面の少なくとも一部を隠す映像無信号画面を表示する第１の映像処理手段と、
前記映像無信号判定手段が前記視聴している映像信号が映像無信号であると判定した場合には、前記記憶手段に記憶された前記視聴可能なチャンネルを順次選局することを前記選局処理手段に指示する選局処理命令手段と、
前記映像無信号判定手段が前記順次選局されたチャンネルの映像信号が映像無信号であるかどうかの判定結果を前記映像無信号画面上に表示する第２の映像処理手段を具備することを特徴とするテレビジョン受像機。
【請求項２】
前記音声信号を出力する音声出力手段とをさらに具備したことを特徴とする請求項１に記載のテレビジョン受像機。
【請求項３】
前記映像無信号判定手段が前記視聴している映像信号が映像無信号であると判定した場合には、前記音声信号をミュート処理するミュート処理手段とをさらに具備したことを特徴とする請求項２に記載のテレビジョン受像機。
【請求項４】
第２の映像処理手段により表示される前記判定結果は各チャンネル番号および映像無信号判定結果を表示することを特徴とする請求項１乃至３テレビジョン受像機。
【請求項５】
第２の映像処理手段により表示される前記判定結果は各チャンネルの分割映像を表示することを特徴とする請求項１乃至３テレビジョン受像機。
【請求項６】
前記放送信号がアナログ放送信号である場合には、前記映像無信号判定手段は前記アナログ放送信号の映像信号の同期信号に基づいて映像無信号かどうかの判定を行うことを特徴とする請求項１乃至５に記載のテレビジョン受像機。
【請求項７】
前記放送信号がデジタル放送信号である場合には、前記映像無信号判定手段は前記デジタル放送信号のビットラインエラーの検出に基づいて映像無信号かどうかの判定を行うことを特徴とする請求項１乃至５に記載のテレビジョン受像機。
【請求項８】
複数のチャンネルの映像信号を受信する機能と、前記映像信号の映像無信号を判定する機能および受信した映像を表示画面に表示する機能とを有するテレビジョン受像機において、
前記複数のチャンネルの内、視聴可能なチャンネルを記憶している記憶手段と、
視聴している映像信号の映像無信号を判定した場合に、前記表示画面のすくなくとも一部を覆う映像無信号画面を表示する映像無信号表示手段と、
前記映像無信号表示手段が前記映像信号画面を表示した場合には、前記視聴可能なチャンネルを順次選局して、各チャンネルの映像信号の映像無信号の判定結果を前記映像無信号画面上に表示する映像処理手段を具備することを特徴とするテレビジョン受像機。
【請求項９】
映像信号および音声信号を含む放送信号を受信する工程と、
視聴可能なチャンネルを記録する工程と
視聴している映像信号が映像無信号かどうかを判定する工程と、
前記判定工程により、前記映像信号が映像無信号であると判定された場合には、映像無信号画面を表示する工程と、
前記表示工程により、前記視聴可能なチャンネルを順次選局する工程と、
前記順次選局工程により選局された映像信号が映像無信号であるかどうか判定し、その判定結果を前記映像無信号画面上に表示する工程とを具備することを特徴とするテレビジョン受像機の制御方法。
【請求項１０】
視聴している映像信号が映像無信号であると判定された場合に、前記音声信号をミュート処理する工程とをさらに具備することを特徴とする請求項９に記載のテレビジョン受像機の制御方法。
【請求項１１】
前記映像信号が映像無信号であるかどうかを判定する場合に前記映像信号の同期信号に基づいて判定することを特徴とする請求項９乃至１０に記載のテレビジョン受像機の制御方法。
【請求項１２】
前記映像信号が映像無信号であるかどうかを判定する場合に前記映像信号のビットエラーの検出に基づいて判定することを特徴とする請求項９乃至１０に記載のテレビジョン受像機の制御方法。
【請求項１３】
前記判定結果が前記映像無信号画面上に表示された場合に、視聴者のチャンネルの選局操作により、前記映像無信号画面を削除し、前記選局されたチャンネルの映像信号を表示する工程をさらに具備したことを特徴とする請求項９乃至１２に記載のテレビジョン受像機の制御方法。
【請求項１４】
前記判定結果が前記映像無信号画面上に表示された場合に、視聴者のチャンネルの選局操作により、前記ミュート処理を解除し、前記選局されたチャンネルの音声信号を出力する工程をさらに具備したことを特徴とする請求項１０乃至１３に記載のテレビジョン受像機の制御方法。
【発明の詳細な説明】
【技術分野】
【０００１】
本発明は、テレビジョン受像機およびその制御方法に関するもので、特に映像無信号状態を検出する機能を備えたテレビジョン受像機およびその制御方法に関する。
【背景技術】
【０００２】
通常、放送が終了した後等では、映像信号のないＲＦ信号（以下映像無信号という。）が放送局より配信される。ここで、テレビジョン受像機等においては、映像無信号を検出した場合には、映像無信号による砂嵐映像などのノイズを隠すために映像無信号表示画面（例えば、ブルーのスクリーンを画面に表示するもの等）を表示する機能がある。また放送が映像無信号状態になるのは、放送が終了した場合の他にもアンテナの状態が悪く、映像信号がきちんと受信できない場合または、もともとそのチャンネルの周波数帯が受信できない場合等がある。
【０００３】
もし、テレビジョン受像機が映像無信号を受信し、映像無信号画面(以下ブルースクリーン表示画面という。）を表示し、ユーザーが他のチャンネルを視聴したい場合には、適当にチャンネルをかえて、映像信号があるチャンネルを探さなければいけないという煩雑な作業が必要となるという問題があった。
【０００４】
この問題を解決するために映像無信号を検出した場合には、他のチャンネルの映像信号を検出し、もし映像無信号でなければ、そのチャンネルを自動に切り替えるというテレビジョン装置が提案されている。例えば特開平６−６２３２９号では、送信される放送信号の同期信号を検出し、同期信号の有無によって、無信号状態であるか否かを判定し、無信号状態が継続した場合にはチャネル切り替えによって、無信号状態でないチャンネルになるまでチャンネルを切り替えて、それ
を表示し、全チャネルが無信号状態になった場合には、当該テレビジョン受像機をパワーオフにする。
【特許文献１】特開平６−６２３２９号
【発明の開示】
【発明が解決しようとする課題】
【０００５】
従来のテレビジョン受像機およびその制御方法では、映像無信号を受信した場合には、他のチャンネルの映像信号を検出し、映像無信号でなければ、順次チャンネルがユーザーの意思に反して自動で替えられてしまうという問題があった。
【０００６】
さらに、自動でチャンネルがかわってしまうことによって、その替えられたチャンネルをユーザーが見たくない番組である場合には、ユーザーは他のチャンネルで視聴可能なチャンネルを探すためにチャンネルをかえて探さなければならなくなり、操作が煩雑となるという問題点があった。
【０００７】
本発明は上記問題点を解決するためになされたもので、テレビ受像機が映像無信号を受信した場合に、視聴可能なチャンネルをユーザーに知らせることにより、ユーザーの操作性を向上させるテレビジョン受像機およびその制御方法を提供することを目的とする。
【課題を解決するための手段】
【０００８】
上記目的を達成するために第１の本発明によるテレビジョン受像機は映像信号および音声信号を含む放送信号を受信し、特定のチャンネルを選局し、その映像信号を出力する選局処理手段と、この映像信号を表示する表示画面を有する表示手段と、視聴可能なチャンネルを記憶している記憶手段と、この映像信号の映像無信号を判定する映像無信号判定手段と、映像無信号判定手段が視聴している映像信号が映像無信号であると判定した場合には、表示画面の少なくとも一部を隠す映像無信号画面を表示する第１の映像処理手段と、この映像無信号判定手段が視聴している映像信号が映像無信号であると判定した場合には、記憶手段に記憶された視聴可能なチャンネルを順次選局することを選局処理手段に指示する選局処理命令手段と、映像無信号判定手段が順次選局されたチャンネルの映像信号が映像無信号であるかどうかの判定結果を映像無信号画面上に表示する第２の映像処理手段を具備することを特徴とする。
【０００９】
また、上記目的を達成するための第２の本発明によるテレビジョン受像機は複数のチャンネルの映像信号を受信する機能とこの記映像信号の映像無信号を判定する機能および受信した映像を表示画面に表示する機能とを有するテレビジョン受像機において、複数のチャンネルの内、視聴可能なチャンネルを記憶している記憶手段と、視聴している映像信号の映像無信号を判定した場合に、表示画面のすくなくとも一部を覆う映像無信号画面を表示する映像無信号表示手段と、この映像無信号表示手段が前記映像信号画面を表示した場合には、視聴可能なチャンネルを順次選局して、各チャンネルの映像信号の映像無信号の判定結果を前記映像無信号画面上に表示する映像処理手段を具備することを特徴とする。
【００１０】
さらに上記目的を達成するための第３の本発明によるテレビジョン受像機の制御方法は映像信号および音声信号を含む放送信号を受信する工程と、視聴可能なチャンネルを記録する工程と、視聴している映像信号が映像無信号かどうかを判定する工程と、この判定工程により、前記映像信号が映像無信号であると判定された場合には、映像無信号画面を表示する工程と、
この表示工程により、前記視聴可能なチャンネルを順次選局する工程と、この順次選局工程により選局された映像信号が映像無信号であるかどうか判定し、その判定結果を前記映像無信号画面上に表示する工程とを具備することを特徴とするテレビジョン受像機の制御方法。
【発明の効果】
【００１１】
本発明によれば、視聴している映像信号が映像無信号の場合に、映像無信号表示画面上に視聴可能なチャンネルの映像無信号かどうかの判定結果をユーザーに知らせることにより、ユーザーの操作性を向上させることができる。
【発明を実施するための最良の形態】
【００１２】
以下、本発明の一実施例の形態によるテレビジョン受像機およびその制御方法を図面を用いて詳細に説明する。本実施形態は、テレビ受像機に本発明を適用した例である。
【００１３】
まず、図１および図５を参照して、テレビの構造の概要を説明する。図１は本発明の一実施例の形態におけるテレビジョン受像機の構造を示すブロック図である。図５（ａ）乃至（ｄ）は本発明の一実施例の形態における各工程における表示画面を示す概要図である。
【００１４】
図１においてテレビには映像入力として、ＤＶＤ装置等のからの映像信号を入力する外部入力端子と、アナログ映像信号をアンテナを介して受信するアナログチューナ３と、デジタル映像信号をアンテナを介して受信するデジタルチューナ１３とを備えている。
【００１５】
さらに、アナログチューナ３で受信したアナログ映像信号について受信信号から映像を再生するための映像中間周波増幅部２、映像検波部３、さらに上述した映像入力を切り替える映像信号切替部４を介して映像信号処理部５、表示部６および映像無信号を検出し、その結果に基づいてブルースクリーン映像処理等のＯＳＤ処理、および選局を処理するマイクロコントローラ７を備えている。
【００１６】
尚、外部入力端子からの受信信号およびデジタルチューナ１３で受信したデジタル映像信号についても映像切替部４に入力される。さらに選局等を指示するリモコン２８を有する。
【００１７】
また、アナログ映像信号およびデジタル映像信号の受信信号の中から音声信号を抽出して再生するために音声中間周波検波部８、ＦＭ検波部９、ミュート処理部１０、低周波増幅部１１およびスピーカー１２を備えている。
【００１８】
まずアナログ映像信号の処理に関する構造について説明する。テレビはアンテナを介して受信したアナログ映像信号の中から所望の同調周波数成分を抽出するとともにこの抽出した信号に対して周波数変換を行うアナログチューナ１は後で説明するマイクロコントローラ７の選局処理命令部２４より指示されたチャネルの周波数帯を選択する選局処理部２１を有しており、選局処理命令部２４により選択された中間周波数信号を出力する。
【００１９】
映像中間周波増幅回路２はアナログチューナ１から出力される映像信号と音声信号が含まれる中間周波数信号の増幅を行うものであり、必要な周波数帯域の成分のみを通過させる所定の選択度特性を有している。増幅された中間周波信号は映像検波部３および音声中間周波検波部８に入力される。
【００２０】
映像検波部３は、映像中間周波増幅回路２で増幅された映像中間周波信号を検波して映像同期信号と複合映像信号と抽出する。その検波された復号映像信号を映像信号切替部４を介して、映像信号処理部を通じて表示装置６から映像表示が行われる。
【００２１】
さらに、映像信号処理部５において後で説明するマイクロコントローラ７からのＯＳＤ処理命令部２６からの指示によりＯＳＤ処理を行うＯＳＤ処理部２２を備えており、ブルースクリーン表示画面を生成したり、チャンネル表示を行う。
【００２２】
音声中間周波検波部８は、映像中間周波増幅部２の出力に含まれる５４，２５ＭＨｚの音声中間周波信号から４．５ＭＨｚのＳＩＦ信号を取り出すものである。さらにＦＭ検波部９は、音声中間周波検波部８から出力される４．５ＭＨｚのＳＩＦ信号に対してＦＭ検波を行っており、ミュート処理部１０を介して、検波された音声信号が低周波増幅部１１で増幅された後、スピーカー１２から出力される。
【００２３】
次に、デジタル映像信号の処理に関する構造について説明する。デジタルチューナ３においても後で説明するマイクロコントローラ７の選局処理命令部２４より指示されたチャネルの周波数帯を選択する選局処理部２１を有しており、選局処理部２４により選択された映像信号を出力し、映像信号切替部４に入力し、その後の処理についてはアナログ映像信号と同様である。
【００２４】
さらに一方音声信号についてはデジタルチューナ３より音声中間周波数信号が出力され、音声中間周波検波部８に入力し、その後の処理はアナログ映像信号と同様である。
【００２５】
ここで、マイクロコントローラ７について説明する。上述した映像検波部３により映像中間周波信号を検波した結果得られた同期信号が映像無信号判定部２３に入力され、映像無信号判定部２３はこの同期信号により受信した映像信号が映像無信号であるかどうかを判断する。ここで、もし同期信号が一定期間検出されなければ、その映像信号が映像無信号であると判断する。
【００２６】
例えば、同期信号を数えるカウンターを備え、もし同期信号を検出できなくなってから、特定回数、例えば５回以上連続して同期信号が検出されなければ、その映像信号は映像無信号であると判断する。また別の実施形態では、タイマーを備え、予め一定時間設定しておき、同期信号が検出できなくなってからその一定時間以上、同期信号が検出されなければ、その映像信号は映像無信号であると判断する。
【００２７】
このように同期信号を利用して、その映像信号が映像無信号であるかどうかを判断する方法、構成等はさまざまの方法等で実現可能である。
【００２８】
この映像無信号判定部２３で視聴している映像信号が映像無信号であると判断した場合は、ＯＳＤ処理命令部により、ブルースクリーン表示画面を表示するように映像信号処理部5のＯＳＤ処理部２２に指示し、受信している映像無信号（つまり砂嵐映像等のノイズ）の上にブルースクリーン表示画面を作成し、表示部６に表示する。（図５（ｂ）を参照方。）
【００２９】
さらに映像無信号判定部２３は視聴している映像信号が映像無信号であると判断した場合には音声信号を処理するミュート処理部１０にミュート信号を出力し、ミュート処理部１０では入力されてきている音声信号にフィルターをかけて音声がスピーカー１２より出力されないように処理する。
【００３０】
また、映像無信号判定部２３は映像無信号であると判断した場合、予め本テレビで視聴可能であるチャンネルのリストが記録部２５に保存されており、そのリストに基づいて順次選局処理命令部２４よりリスト上のチャンネルを選択するようにアナログチューナ１の選局処理部２１に指示する。
【００３１】
選局処理部２１は選局処理命令部２４より指示されたチャンネル、例えば１ＣＨの映像信号を映像中間周波増幅部へ出力する。そこで、上述と同様に映像検波部３より得られる同期信号によりその選局された１ＣＨの映像信号が映像無信号かどうかを判断し、もし映像無信号でなければ（視聴可能であれば）、ＯＳＤ処理命令部２６よりＯＳＤ処理部２２に表示画面はブルースクリーン表示画面のまま、選局した１ＣＨが視聴可能であったことを画面上に表示するように指示する。
【００３２】
例えば、ブルースクリーン表示画面上に白い四角の枠内にチャネル番号「１」を表示したりすることにより、ユーザーにリストに基づいて選局された１ＣＨは視聴可能であること通知することができる。
【００３３】
このようにリストに応じて選局を順次行い、各チャネルで映像信号が映像無信号であるかどうかを判断する。（以下映像無信号判定処理という。）一方選局されたチャネル、例えば６ＣＨが映像無信号である場合にはブルースクリーン表示画面上に黒い四角の枠内にチャネル番号「６」を表示してユーザーに選局された６ＣＨは映像無信号であることを通知する。
【００３４】
このような映像無信号判定処理の間は、もしあるチャネルの映像信号が視聴可能な場合があってもブルースクリーン表示画面をそのままにして、その映像無信号判定処理の結果をＯＳＤ処理によって、ユーザーが視聴可能な状況でその判定結果を表示部６に表示する。
【００３５】
ここで、例えば、図５（ｃ）に表示されているようにブルースクリーン表示画面上に視聴可能なチャンネル１ＣＨ、３ＣＨ，４ＣＨ，６ＣＨ、および８ＣＨのチャンネル番号が表示され、白い枠内にある１ＣＨ、３ＣＨ、４ＣＨ、および８ＣＨは映像無信号判定処理により視聴可能であること、黒い枠内にある６ＣＨの映像信号は映像無信号であると判定したことを示している。
【００３６】
それと同様に、映像無信号判定処理の間は、もしあるチャネルの映像信号が視聴可能な場合であったても音声信号のミュート処理はそのままで音声もスピーカー１２より出力されない。
【００３７】
この映像無信号判定結果により、ブルースクリーン表示画面の表示中の映像信号が視聴可能なチャンネルをユーザーがリモコン２８等により選択した場合に選局処理命令部２４よりアナログチューナー１の選局処理部２１に対して選択されたチャネルの映像中間周波増幅信号を出力するように指示する。
【００３８】
このようなユーザーのリモコン２８等の操作によって最初の映像無信号判定でブルースクリーン表示画面だったものが、視聴可能なチャンネルの映像信号を表示部６に表示し、選択したチャンネルを視聴することができる。（図５（ｄ）を参照方。）
【００３９】
これと同様にユーザーのリモコン２８の操作により、映像無信号判定部２３より指示されていたミュート処理を解除して、ミュート処理部１０で音声信号に対するフィルターを解除して、ユーザーのリモコン２８で選択されたチャンネルの音声信号をスピーカー１２より出力する。
【００４０】
一方、デジタルチューナ１３でアンテナよりデジタル映像信号を受信した場合には、デジタルチューナ１３内蔵の復調器からデジタルビットエラーの情報をマイクロコントローラの映像無信号判定部２３に入力される。
【００４１】
映像無信号判定部２３においてこのエラー頻度が閾値より多いか少ないかをマイコンが比較して頻度が多ければそのデジタル映像信号は映像無信号と判定され、その後、アナログ信号と同様にマイクロコントローラ７で処理され、デジタルチューナ１３より映像信号切替部４を介して映像信号処理部に入力された映像信号（映像無信号である場合）に対して、ＯＳＤ処理部２２の処理によって表示部６にブルースクリーン表示画面が表示される。
【００４２】
ここで、映像無信号判定部２３はアナログ映像信号とデジタル映像信号とでは処理が違うので図１では同じ映像無信号判定部２３でまとめて記載しているが、アナログ映像信号とデジタル映像信号と別々の映像無信号判定部を設けてもいい。
【００４３】
またデジタル映像信号の音声信号もデジタルチュ−ナ１３より音声中間周波検波部８に入力され、その後はアナログ映像信号の音声信号と同様に処理され、スピーカー１２により音声が出力される。もし受信したデジタル映像信号が映像無信号である場合には映像無信号判定部２３よりミュート処理部１０にミュート処理を行うように指示を行う。
【００４４】
さらにＤＶＤ装置等の外部入力端子からの映像信号については映像信号切替部４に入力され、映像無信号判定処理を行わないで映像信号処理部５を介して表示部６へ表示する。また図示されていないが、外部入力端子からの映像信号の音声信号についても所定の処理がなされ、スピーカー１２より出力される。
【００４５】
次に図２乃至図５を参照して、図１の構造を有するテレビの制御製造方法について説明する。図２は本発明の一実施例の形態におけるアナログ映像信号の映像信号の制御方法を示すフローチャート図である。また図３は本発明の一実施例の形態におけるデジタル映像信号の映像信号の制御方法を示すフローチャート図である。
【００４６】
また図４は本発明の一実施例の形態におけるアナログおよびデジタル映像信号の音声信号の制御方法を示すフローチャート図である。さらに図５（ａ）乃至（ｄ）は本発明の一実施例の形態における各工程における表示画面を示す概要図である。
【００４７】
図２を用いて本発明の一実施例のテレビ受像機の制御方法について以下に説明する。まず、アナログ映像信号がアナログチューナ１、映像中間周波増幅部２および映像検波部３を介して、映像信号より同期信号を抽出し、映像無信号判定部２３において抽出された同期信号のカウント処理を行う（Ｓ１）。ここで、同期信号のカウンターは同期信号が検出できなくなってからの回数をカウントする方法であっても、タイマー等で時間をはかる方法であっても、その他の方法であってもよい。
【００４８】
次に同期信号のカウント処理によって映像信号が映像無信号であるかどうか判定を行う（Ｓ２）。ここで、上述のカウンターまたはタイマーによりいずれも同期信号が検出できなくなってからの所定の数、時間を超えると映像無信号であると判断する。そこで、入力された映像信号が映像無信号であると判断される前は図５（ａ）で示すように通常の映像信号が表示部６より表示され、音声信号がスピーカー１２より出力する。
【００４９】
もし、視聴している映像信号が映像無信号でない場合（視聴可能な場合）は、入力されてくる映像信号の同期信号のカウント処理を行う（Ｓ１）。
【００５０】
もし、映像信号が映像無信号である場合（視聴不可能な場合）は、入力されてくる映像信号の同期信号のカウント処理を行い、所定回数以上であるかカウントする（Ｓ２）。
【００５１】
一方、もし映像無信号であると判断した場合には映像無信号判定部２３よりＯＳＤ処理命令部２６を介して、映像信号処理部５のＯＳＤ処理部２２によって表示部６にブルーバック処理を行う（Ｓ３）。ここで、図５（ｂ）はブルースクリーン処理されたブルースクリーン表示画面を表示する。尚、このブル−バック処理されている間はミュート処理部１０によってスピーカー１２からは音声は出力されない。
【００５２】
さらに視聴している映像無信号であると判定された映像信号がＲＦ信号であるかどうか判定する（Ｓ４）。もし、ＲＦ信号でない場合には本処理は終了する。またＲＦ信号である場合には、記億部２５に予め保存された視聴可能なチャネルのリストの中から順次、選局処理命令部２４よりアナログチューナ１の選局処理部２１に指示して選局処理を行う（Ｓ５）。
【００５３】
その後、順次選択されたチャンネルを映像無信号判定部２３において映像無信号判定を行う（Ｓ６）。さらに、その判定結果をＯＳＤ処理命令部２６より映像信号処理部５のＯＳＤ処理部により表示部６のブルーバック表示上に順次選択されたチャネルの映像信号が映像無信号であるか、視聴可能であるかを識別できるように表示する。
【００５４】
ここで、図５（ｃ）は映像信号処理判定の結果をチャネル毎に識別できるように表示した例である。ここで、数字はリストに記録された視聴可能なチャンネルであり白い枠の中にあるチャンネルは視聴可能であり、黒い枠の中にあるチャネルは映像無信号であることを示している。  
【００５５】
さらに、映像信号処理判定の結果をチャンネルの番号等の表示だけなく、ＰＩＰ表示、もしくはＰＯＰ表示等により各チャンネルの映像信号を例えば、静止画像を子画面で分割表示を行うことにより実現できる。このようにすることにより各チャンネルの映像信号の一部を子画面で視聴可能となり、ユーザーによる操作をより的確に、簡単に作業することができる。
【００５６】
その後、選局処理（Ｓ５）、映像無信号判定（Ｓ６）およびチャンネル情報ＯＳＤ表示（Ｓ７）を繰り返し行うことによって、最新の情報を提供するようにすることができる。
次に表示部６に表示されたブルースクリーンバック表示画面上に示された映像無信号判定結果に応じてユーザーがリモコン２８による選局がおこなったかを判断する（Ｓ８）。もし選局が行われた場合には終了する。
【００５７】
尚、ユーザーによりリモコン２８により選局された場合にはマイクロコントローラ７の選局処理命令部２４よりアナログチューナ１の選局処理部へ選局されたチャンネルを映像中間周波増幅信号として出力して、所定の処理によりその映像信号の同期信号を検出される。さらに映像無信号判定部２３で判定し、視聴可能であると判定した場合にはＯＳＤ処理命令部２６よりＯＳＤ処理部２２へブルースクリーン表示画面の表示を中止して、選択されたチャンネルの映像信号を表示部６に表示する。
【００５８】
ここで図５（ｄ）が再表示された表示画面を示す。一方、音声信号でもミュート処理部１０においてミュート処理を解除して選択されたチャンネルの音声信号をスピーカー１２より出力する。
【００５９】
一方、リモコン２８による選局がなくて、全ての視聴可能なチャンネルが映像無信号であるか判断する（Ｓ９）。もし全ての視聴可能なチャンネルが映像無信号である場合には終了し、もし視聴可能なチャンネルがあれば、選局処理（Ｓ５）を行いその後の処理を繰り返す。
【００６０】
図３を用いて本発明の一実施例のテレビ受像機の制御方法について以下に説明する。まず、デジタル映像信号がデジタルチューナ１３において視聴している映像信号よりビットエラー検出する（Ｓ１１）。
【００６１】
次にビットエラーの検出によって、ビットエラーがある所定の閾値を超えるかどうかを検出し、視聴している映像信号が映像無信号であるかどうか判定を行う（Ｓ１２）。ここで、視聴している映像信号が視聴可能であると判断された場合（映像無信号でない場合）には図５（ａ）で示すように通常の映像信号が表示部６より表示され、音声信号はスピーカー１２より出力する。
【００６２】
一方、もし映像無信号であると判断した場合には映像無信号判定部２３よりＯＳＤ処理命令部２６を介して、映像信号処理部５のＯＳＤ処理部２２によって表示部６にブルーバック処理を行い、ブルースクリーン表示画面を表示する（Ｓ１３）。ここで、図５（ｂ）はブルーバック処理された表示画面を示す。尚、このブル−バック処理されている間はミュート処理部１０によってスピーカー１２からは音声は出力されない。
【００６３】
さらに映像無信号であると判定された映像信号がＲＦ信号であるかどうか判定する（Ｓ１４）。もし、ＲＦ信号でない場合には本処理は終了する。またＲＦ信号である場合には、記億部２５に予め保存された視聴可能なチャネルのリストの中から順次、選局処理命令部２４よりデジタルチューナ１３の選局処理部２１に指示して選局処理を行う（Ｓ１５）。
【００６４】
その後、順次選択されたチャンネルを映像無信号判定部２３において映像無信号判定を行う（Ｓ１６）。さらに、その判定結果をＯＳＤ処理命令部２６より映像信号処理部５のＯＳＤ処理部により表示部６のブルースクリーンク表示画面上に順次選択されたチャネルの映像信号が映像無信号であるか、視聴可能であるかを識別できるように表示する。
【００６５】
ここで、図５（ｃ）は映像信号処理判定の結果をチャネル毎に識別できるように表示した例である。ここで、数字はリストに記録された視聴可能なチャンネルであり白い枠の中にあるチャネルは視聴可能であり、黒い枠の中にあるチャネルは映像無信号であることを示している。
【００６６】
その後、選局処理（Ｓ１５）、映像無信号判定（Ｓ１６）およびチャンネル情報ＯＳＤ表示（Ｓ１７）を繰り返し行うことによって、最新の情報を提供するようにすることができる。
次に表示部６に表示されたブルースクリーン表示画面上に示された映像無信号判定結果に応じてユーザーがリモコン２８による選局がおこなったかを判断する（Ｓ１８）。もし選局が行われた場合には処理が終了する。
【００６７】
尚、ユーザーによりリモコン２８により選局された場合にはマイクロコントローラ７の選局処理命令部２４よりデジタルチューナ１３の選局処理部２７へ選局されたチャンネルを映像信号として映像信号切替部５に入力し、一方デジタルチューナ１３内ビットエラーを検出し。さらに映像無信号判定部２３で判定し、視聴可能であると判定した場合にはＯＳＤ処理命令部２６よりＯＳＤ処理部２２へブルースクリーン表示を中止して、選択されたチャンネルの映像信号を表示部６に表示する。
【００６８】
ここで図５（ｄ）がユーザーに選択された映像信号が表示された表示画面を示す。一方、音声信号でもミュート処理部１０においてミュート処理を解除して選択されたチャンネルの音声信号をスピーカー１２より出力する。
【００６９】
一方、ユーザーからのリモコン２８等による選局がなくて、全ての視聴可能なチャンネルが映像無信号であるか判断し（Ｓ１９）、もし全ての視聴可能なチャンネルが映像無信号である場合には終了し、もし視聴可能なチャンネルがあれば、選局処理（Ｓ１５）を行う。
【００７０】
図３を用いて本発明の一実施例のテレビ受像機の制御方法について以下に説明する。ここで、図３は特に音声の制御方法について説明する。音声についはアナログ映像信号とデジタル映像とはほぼ同じなので、アナログ映像信号の場合について説明する。
【００７１】
まず、アナログ映像信号がアナログチューナ１、映像中間周波増幅部２および映像検波部３を介して、映像信号より同期信号を抽出し、映像無信号判定部２３において抽出された同期信号のカウント処理を行う（Ｓ２１）。ここで、同期信号のカウンターは同期信号が検出できなくなってからの回数をカウントする方法であっても、タイマー等で時間をはかる方法であっても、その他の方法であってもよい。
【００７２】
次に同期信号のカウント処理によって映像信号が映像無信号であるかどうか判定を行う（Ｓ２２）。ここで、上述のカウンターまたはタイマーによりいずれも同期信号が検出できなくなってからの所定の数、時間を超えると映像無信号であると判断する。入力された映像信号が映像無信号であると判断される前までは、音声信号はスピーカー１２より出力する。
【００７３】
もし、映像信号が映像無信号でない場合（視聴可能な場合）は、入力されてくる映像信号の同期信号のカウント処理を行う（Ｓ２１）。ここで、音声信号もスピーカーより出力される。
【００７４】
一方、もし映像無信号であると判断した場合には映像無信号判定部２３よりミュート処理部１０に対して音声信号にミュート処理を行うように指示し、スピーカー１２からは音声が出力されない（Ｓ２３）。ここで、図５（ｂ）は映像信号が映像無信号である場合のブルースクリーン表示画面が表示された画面を示す。
【００７５】
尚、このブル−スクリーン表示画面が表示されている間はミュート処理部１０によってスピーカー１２からは音声は出力されない。
【００７６】
さらに映像無信号であると判定された映像信号がＲＦ信号であるかどうか判定する（Ｓ２４）。もし、ＲＦ信号である場合には本処理は終了する。またＲＦ信号である場合には、記億部２５に予め保存された視聴可能なチャネルのリストの中から順次、選局処理命令部２４よりアナログチューナ１の選局処理部２１に指示して選局処理を行う（Ｓ２５）。
【００７７】
その後、順次選択されたチャンネルを映像無信号判定部２３において映像無信号判定を行う（Ｓ２６）。さらに、その判定結果をＯＳＤ処理命令部２６より映像信号処理部５のＯＳＤ処理部により表示部６のブルースクリーンク表示画面上に順次選択されたチャネルの映像信号が映像無信号であるか、視聴可能であるかを識別できるように表示する。
【００７８】
ここで、図５（ｃ）は映像信号処理判定の結果をチャネル毎に識別できるように表示した例である。ここで、数字はリストに記録された視聴可能なチャンネルであり白い枠の中にあるチャネルは視聴可能であり、黒い枠の中にあるチャネルは映像無信号であることを示している。この間、音声信号もミュート処理部１０によって、ミュート状態が維持される。
【００７９】
その後、選局処理（Ｓ２５）、映像無信号判定（Ｓ２６）およびチャンネル情報ＯＳＤ表示（Ｓ２７）を繰り返し行うことによって、最新の情報を提供するようにすることができる。
次に表示部６に表示されたブルースクリーンク画面表示上に示された映像無信号判定結果に応じてユーザーがリモコン２８による選局がおこなったかを判断する（Ｓ２８）。もし選局が行われた場合には終了する。
【００８０】
尚、ユーザーによりリモコン２８により選局された場合にはマイクロコントローラ７の選局処理命令部２４より音声信号でもミュート処理部１０においてミュート処理の解除を指示して、選択されたチャンネルの音声信号をスピーカー１２より出力する。
【００８１】
一方、リモコン２８による選局がなくて、全ての視聴可能なチャンネルが映像無信号であるか判断し（Ｓ２９）、もし全ての視聴可能なチャンネルが映像無信号である場合には終了し、もし視聴可能なチャンネルがあれば、選局処理（Ｓ２５）を行いその後の処理を繰り返す。
【００８２】
このように本実施例のテレビでは、受信した映像信号が映像無信号であった場合に、自動的に記録された視聴可能なチャンネルのリストを順次映像無信号判定を行うもので、ユーザーに対しては映像無信号でブルースクリーン表示画面がバック表示されたまま、チャンネル番号等を表示する。このことによりその他のチャンネルが映像無信号であるかどうかを表示することにより、ユーザーが簡単にどの映像無信号もしくは視聴可能であるかを選択ができ、煩雑な作業が低減できる。
【００８３】
さらに本実施例の記憶部２５にテレビ受像機の設置等で当初の視聴可能なチャンネルを記録しているので、視聴可能な全てのチャンネルに対して映像無信号判定を行うことができるので、取りこぼしがなく、正確に視聴可能なチャンネルの状況がわかり、ユーザーの煩雑な作業が低減できる。
【００８４】
ここで、本実施例の説明では、テレビ受像機について説明していたが、ＰＣ、ＤＶＤ  Ｐｌａｙｅｒ等でテレビチュ−ナを搭載している電子機器にも適応可能である。
【００８５】
さらに本実施例では、マイクロコントローラについてデジタル映像とアナログ映像と一緒に処理しているが、別々に構成してもよい。
【００８６】
また、上述した実施例には種々の段階の発明が含まれており、開示される複数の構成要件、もしくは複数の工程における適宜な組み合わせにより種々の段階の発明が抽出されえる。例えば、実施例に示される全構成要件から幾つかの構成要件もしくは全工程から幾つかの工程を削除されても、発明が解決しようとする課題の欄で述べた課題が解決でき、発明の効果の欄で述べられる効果が得られる場合には、この構成要件もしくは工程が削除された構成が発明として抽出されえる。
【図面の簡単な説明】
【００８７】
【図１】本発明の一実施例の形態におけるテレビジョン受像機の構造を示すブロック図。
【図２】本発明の一実施例の形態におけるアナログ映像信号の映像信号の制御方法を示すフローチャート図。
【図３】本発明の一実施例の形態におけるデジタル映像信号の映像信号の制御方法を示すフローチャート図。
【図４】本発明の一実施例の形態におけるアナログおよびデジタル映像信号の音声信号の制御方法を示すフローチャート図。
【図５】本発明の一実施例の形態における各工程における表示画面を示す概要図。
【符号の説明】
【００８８】
１、アナログチューナ  
２、映像中間周波増幅部
３、映像検波部
４、映像信号切替部
５、映像処理部
６  表示部
７  マイクロコントローラ
８  音声中間周波検波部
９  ＦＭ検波部
１０  ミュート処理部
１１  低周波増幅部
１２  スピーカー
１３  デジタルチューナ
２１  選局処理部
２２  ＯＳＤ処理部
２３  映像無信号判定部
２４  選局処理命令部
２５  記憶部
２６  ＯＳＤ処理命令部
２８  リモコン
【図１】
2007274560.tif 000003
【図２】
2007274560.tif 000004
【図３】
2007274560.tif 000005
【図４】
2007274560.tif 000006
【図５】
2007274560.tif 000007